(57)【特許請求の範囲】
【請求項１】
眼鏡枠等の形状を測定する眼鏡枠形状測定装置の測定誤差を校正するために用いられる校正治具であって、
一枚の板状体に２つの穴を並設して構成されるとともに、上記眼鏡枠形状測定装置の測定子がトレースするトレース溝を上記各穴の内周面に有し、このトレース溝が、半径方向、回転方向及び高さ方向に変位して形成され、
上記各穴のトレース溝の周長を基準周長として上記板状体に表示してなることを特徴とする眼鏡枠形状測定装置の校正治具。
【請求項２】
前記板状体が樹脂からなることを特徴とする請求項１に記載の眼鏡枠形状測定装置の校正治具。
【請求項３】
上記トレース溝は、測定子の先端部における略反対側の両部分が接触することで当該先端部を規制する規制面を有することを特徴とする請求項１または２に記載の眼鏡枠形状測定装置の校正治具。
【発明の詳細な説明】
【技術分野】
【０００１】
本発明は、眼鏡枠形状測定装置の測定誤差を校正するために用いられる校正治具に関する。
【背景技術】
【０００２】
眼鏡枠等の形状を測定する眼鏡枠形状測定装置では、長年の使用などによって測定誤差が生じ、この測定誤差は、一般に校正治具を用いて校正される。
このような校正治具（基準フレーム）１００は特許文献１に記載され、図９に示すように、金属製の板１０１に、眼鏡枠のリムにおける平面視形状の基準孔１０２が形成され、この基準孔１０２の内周面１０３に、測定対象となる眼鏡枠形状測定装置の測定子１０４をトレースさせるものである。測定対象の眼鏡枠形状測定装置の測定子１０４が上記校正治具１００における基準孔１０２の内周面１０３をトレースしたときの内周面１０３の測定データと、当該校正治具１００の基準孔１０２における内周面１０３の基準データとを比較することにより、測定対象の眼鏡枠形状測定装置の測定誤差が算出される。
【０００３】
【特許文献１】特開平４‐１３５３９号公報
【発明の開示】
【発明が解決しようとする課題】
【０００４】
ところが、眼鏡枠のリム形状は、眼鏡装用者の顔の形状に応じて３次元形状に構成されているが、上記校正治具１００の基準孔１０２における内周面１０３は二次元形状である。つまり、この内周面１０３は半径方向の変位ｒと、回転方向の変位θとを設定したものである。従って、このような校正治具１００を用いた眼鏡枠形状測定装置の測定誤差の校正では、上記二次元の校正は可能であるが、高さ方向変位を含めた三次元の校正が不可能となる。
【０００５】
本発明の目的は、上述の事情を考慮してなされたものであり、眼鏡枠形状測定装置の測定誤差の校正を三次元で実施できる眼鏡枠形状測定装置の校正治具を提供することにある。
【課題を解決するための手段】
【０００６】
請求項１に記載の発明は、眼鏡枠等の形状を測定する眼鏡枠形状測定装置の測定誤差を校正するために用いられる校正治具であって、上記眼鏡枠形状測定装置の測定子がトレースするトレース溝を有し、このトレース溝が、半径方向、回転方向及び高さ方向に変位して形成されたことを特徴とするものである。
【０００７】
請求項２に記載の発明は、請求項１に記載の発明において、上記トレース溝は、一枚の板状体に設けられた穴の内周面に形成されたことを特徴とするものである。
【０００８】
請求項３に記載の発明は、請求項１に記載の発明において、上記トレース溝は、眼鏡枠のリムの内周に形成されて眼鏡レンズのヤゲンを嵌合するための枠溝であり、上記リムが、当該リムよりも剛性の高い枠体に固定されて構成されたことを特徴とするものである。
【０００９】
請求項４に記載の発明は、請求項３に記載の発明において、上記枠体は、一対のリムに対応して設けられた開口を備える平面部と、この平面部の両側に立設する立設部とを有し、上記平面部の上記開口を臨む縁部に上記リムの上部及び下部が固着され、上記立設部に上記リムの智部分が固着されたことを特徴とするものである。
【００１０】
請求項５に記載の発明は、請求項1乃至４のいずれかに記載の発明において、上記トレース溝は、測定子の先端部における略反対側の両部分が接触することで当該先端部を規制する規制面を有することを特徴とするものである。
【発明の効果】
【００１１】
請求項１、２または３に記載の発明によれば、校正治具では、眼鏡枠形状測定装置の測定子がトレースするトレース溝が、半径方向、回転方向及び高さ方向に変位して形成されている。このため、この校正治具を用いた眼鏡枠形状測定装置の測定誤差の校正を三次元で実施でき、正確な校正を実現できる。
【００１２】
請求項４に記載の発明によれば、眼鏡枠のリムの上部及び下部を枠体の平面部における開口を臨む縁部に固着し、上記リムの智部分を上記枠体の立設部に固着したことから、眼鏡枠のリムを上記枠体によって、変形を生じさせることなく補強することができる。
【００１３】
請求項５に記載の発明によれば、トレース溝は、測定子の先端部における略反対側の両部分が接触することで当該先端部を規制する規制面を有することから、測定子は、このトレース溝から離脱することなく、規制面に常に接触した状態で当該トレース溝に沿って移動することができ、校正治具による校正を正確に実施できる。
【発明を実施するための最良の形態】
【００１４】
以下、本発明を実施するための最良の形態を、図面に基づき説明する。
［Ａ］第１の実施の形態（図１〜図６）
図１は、本発明に係る眼鏡枠形状測定装置の校正治具における第１の実施の形態を示し、（Ａ）が正面図、（Ｂ）が図１（Ａ）のＢ矢視図、（Ｃ）が図１（Ａ）のＣ矢視図である。図４は、眼鏡枠形状測定装置を正面側から目視して示す斜視図である。図５は、図４の眼鏡枠形状測定装置を後面側から目視して示す斜視図である。
【００１５】
図４及び図５に示す眼鏡枠形状測定装置１０は、眼鏡枠１（図６）の左右のリム２Ａ、２Ｂの形状、図示しないフレーム型板の形状、または図示しない眼鏡レンズの外周形状をそれぞれ測定するものであり、前方側にコントロールパネル１１が設置されたアッパカバー１２の中央に、開口部１３が形成される。この開口部１３内に、測定対象の眼鏡枠１、フレーム型板または眼鏡レンズが搬入される。
【００１６】
この開口部１３内には、眼鏡枠形状測定装置１０の前方側に前側押え台１４が、後方側に後側押え台１５が、それぞれ接近または離反する方向に移動可能に配置される。各押え台１４、１５に上記一対のクランプピン１６が複数対（例えば２対）設置されている。
【００１７】
前側押え台１４と後側押え台１５は、眼鏡枠１のリム２Ａ及び２Ｂが操作者により開口部１３内に搬入されたときに、同じく操作者により接近移動されて、これらのリム２Ａ及び２Ｂを下側のクランプピン１６上に載置する（図６）。その後、操作者がコントロールパネル１１のスタートボタン（不図示）を操作することにより、前側押え台１４及び後側押え台１５の上下のクランプピン１６がリム２Ａ及び２Ｂを把持し、押え台１４及び１５の位置がロックされて、眼鏡枠１が眼鏡枠形状測定装置１０に装着される。
尚、この眼鏡枠１は、リム２Ａ及び２Ｂを下方に、リム２Ａ及び２Ｂの智３に枢支されるテンプル４を上方に位置付けて、眼鏡枠形状測定装置１０に装着される。
【００１８】
更に、図４に示すように、開口部１３内には回転駆動される回転テーブル１７が装着されると共に、この回転テーブル１７に長溝１８が、回転テーブル１７の直径方向に延在して形成され、この長溝１８内に、測定子としてのスタイラス１９が設置される。このスタイラス１９は、図示しない水平駆動機構により長溝１８内で水平方向に移動され、且つ図示しない昇降機構により長溝１８内で昇降される。また、スタイラス１９は、回転テーブル１７の回転駆動により水平面内において回転されることになる。
【００１９】
上述のように眼鏡枠１が前側押え台１４、後側押え台１５及びクランプピン１６を用いて眼鏡枠形状測定装置１０に装着された後（図６）、上記回転テーブル１７、上記水平駆動機構及び上記昇降機構の作用で、スタイラス１９は、装着された眼鏡枠１のリム２Ａ、２Ｂの内周面に形成された枠溝２０をトレースする。この枠溝２０は、図示しない眼鏡レンズのヤゲンを嵌合するための溝である。
【００２０】
眼鏡枠１のリム２Ａ、２Ｂは、一般に眼鏡装用者の顔の形状に対応して湾曲した３次元形状に形成されている。そのため、リム２Ａ、２Ｂの枠溝２０をトレースするスタイラス１９は３次元形状の測定となり、その測定データは、スタイラス１９の半径方向（水平方向）の変位ｒ、スタイラス１９の水平面内における回転方向の変位θ、スタイラス１９の高さ方向（昇降方向）の変位ｚで表される円筒座標系のデータとなる。これらの変位ｒ、θ、ｚの測定データから、眼鏡枠１のリム２Ａ、２Ｂの形状が測定される。
【００２１】
図示しないフレーム型板の形状、眼鏡レンズの外周形状についても、スタイラス１９を用いて測定データｒ、θが測定され、これらの測定データｒ、θからフレーム型板の形状、眼鏡レンズの外周形状が測定される。
【００２２】
さて、上述のような眼鏡枠形状測定装置１０では、長年の使用などによって測定誤差が生じ、図１に示す校正治具３０を用いてその測定誤差を校正する必要がある。この校正治具３０は、ブリッジ５にて結合された眼鏡枠１のリム２Ａ及び２Ｂと、このリム２Ａ及び２Ｂを固定して支持する枠体３１とを有して構成される。この枠体３１は、リム２Ａ及び２Ｂよりも剛性が高い金属板にて構成される。
【００２３】
この枠体３１は、開口３２を備えた平面部３３と、この平面部３３の両端側から一体に立設された立設部３４とを有してなる。開口３２は、ブリッジ５にて結合された一対のリム２Ａ及び２Ｂに対応し、これらのリム２Ａ及び２Ｂを内接する例えば四角形状に形成される。
【００２４】
平面部３３の開口３２を臨む上側縁部３５、下側縁部３６にリム２Ａ及び２Ｂの上部、下部がそれぞれ接着剤３７を用いて固着される。また、リム２Ａ及び２Ｂの智３の部分がブラケット３８を介して立設部３４に溶接等により固着される。このようにして、ブリッジ５にて結合されたリム２Ａ及び２Ｂが、当該リム２Ａ及び２Ｂよりも剛性の高い金属製の枠体３１に強固に固定されて補強される。尚、図１中の符号４１は溶接箇所を示し、符号４２は脚部を示す。
【００２５】
このように構成された校正治具３０におけるリム２Ａ及び２Ｂの枠溝２０は、眼鏡枠形状測定装置１０のスタイラス１９がトレースするトレース溝として機能する。この枠溝２０は、リム２０Ａ及び２０Ｂが前述の如く３次元形状を有することから、半径方向の変位ｒ（図１（Ａ））、回転方向の変位θ（図１（Ａ））、高さ方向の変位z（図１（Ｂ））を有している。これらの変位ｒ、θ及びzは、正確な眼鏡枠形状測定装置１０などによって予め測定されて基準値とされ、この基準値から算出された枠溝２０（トレース溝）の周長が基準周長として、校正治具３０の例えば枠体３１における平面部３３に表示される。本実施の形態では、リム２Ａ、２Ｂにおける枠溝２０のそれぞれの基準周長が「Ｌ周長」、「Ｒ周長」として上記平面部３３に表示されている。
【００２６】
ここで、トレース溝として機能する枠溝２０は、図２に示すように、所定の角度αをもって略対向する傾斜面３９Ａ及び３９Ｂから構成される。これらの傾斜面３９Ａ、３９Ｂのそれぞれに、スタイラス１９の先端部における略反対側の部分４０Ａ、４０Ｂが接触して、これらの傾斜面３９Ａ、３９Ｂは、スタイラス１９の先端部を規制する規制面として機能する。つまり、枠溝２０が前述の３次元方向の変位ｒ、θ、zを有していても、この枠溝２０をトレースするスタイラス１９は、枠溝２０の少なくとも一つの傾斜面３９Ａ、３９Ｂに接触して規制され、枠溝２０からの離脱が防止される。
【００２７】
測定対象となる眼鏡枠形状測定装置１０の測定誤差を校正するために、上述のように構成された校正治具３０を用いる。この際、校正治具３０は、図３に示すようにして測定対象の眼鏡枠形状測定装置１０に装着される。つまり、眼鏡枠１を装着する場合と同様にして、測定対象の眼鏡枠形状測定装置１０の前側押え台１４と後側押え台１５との間に校正治具３０が搬入されると、当該眼鏡枠形状測定装置１０は、これらの押え台１４及び１５のクランプピン１６を用いて校正治具３０の枠体３１における平面部３３の外側部分を把持する。
【００２８】
この状態で、測定対象の眼鏡枠形状測定装置１０はスタイラス１９に、校正治具３０のリム２Ａ及び２Ｂにおける枠溝２０をトレースさせ、この枠溝２０の３次元変位（ｒ、θ、z）を測定し、この３次元変位データから枠溝２０の周長を算出して測定する。この測定された枠溝２０の周長と校正治具３０に表示された基準周長との誤差が解消されるように、測定対象の眼鏡枠形状測定装置１０が操作者により調整されて、この測定対象の眼鏡枠形状測定装置１０の校正が実施される。
【００２９】
以上のように構成されたことから、上記実施の形態によれば、次の効果（１）〜（３）を奏する。
（１）校正治具３０は、眼鏡枠１のリム２Ａ及び２Ｂが枠体３１に固定されて構成され、リム２Ａ及び２Ｂの枠溝２０は、眼鏡枠形状測定装置１０のスタイラス１９がトレースするトレース溝とされ、半径方向の変位ｒ、回転方向の変位θ及び高さ方向の変位zを有して構成される。このため、この校正治具３０を用いた眼鏡枠形状測定装置１０の測定誤差の校正を３次元で実施でき、正確な校正を実現できる。
【００３０】
（２）上記校正治具３０では、眼鏡枠１のリム２Ａ及び２Ｂの上部及び下部を、枠体３１の平面部３３における開口３２を臨む上側縁部３５、下側縁部３６にそれぞれ固着し、リム２Ａ及び２Ｂの智３の部分を上記枠体３１の立設部３４に固着したことから、眼鏡枠１のリム２Ａ及び２Ｂを枠体３１によって、変形を生じさせることなく補強することができる。
【００３１】
（３）校正治具３０のリム２Ａ及び２Ｂにおける枠溝２０は、眼鏡枠形状測定装置１０のスタイラス１９の先端部における略反対側の両部分４０Ａ及び４０Ｂが接触することで、当該先端部を規制する傾斜面３９Ａ及び３９Ｂを有する。このため、スタイラス１９は、上記枠溝２０から離脱することなく、傾斜面３９Ａと３９Ｂの両方に常に接触した状態で当該枠溝２０に沿って移動することができ、校正治具３０による校正を正確に実施できる。
【００３２】
［Ｂ］第２の実施の形態（図７、図８）
図７は、本発明に係る眼鏡枠形状測定装置の校正治具における第２の実施の形態を示し、（Ａ）が正面図、（Ｂ）が図７（Ａ）のＢ矢視図、（Ｃ）が図７（Ａ）のＣ矢視図である。この第２の実施の形態において、前記第１の実施の形態と同様な部分は、同一の符号を付すことにより説明を省略する。
【００３３】
図７に示す校正治具５０は、合成樹脂または金属製の一枚の板状体５１に、２個の穴５２及び５３を並設し、これらの穴５２及び５３の内周面にトレース溝５４を形成したものである。
【００３４】
上記穴５２及び５３は円形状に、または眼鏡枠１のリム２Ａ、２Ｂの平面視形状に形成されている。また、トレース溝５４は、半径方向の変位ｒ（図７（Ａ））、回転方向の変位θ（図７（Ａ））及び高さ方向の変位ｚ（図７（Ｂ））を有して構成される。これらの変位ｒ、θ、zは、正確な眼鏡枠形状測定装置１０等によって予め測定されて基準値とされ、この基準値から算出されたトレース溝５４の周長が基準周長として、校正治具５０の板状体５１に表示される。本実施の形態では、穴５２、５３のトレース溝５４の周長が、それぞれ「Ｌ周長」、「Ｒ周長」として表示されている。
【００３５】
また、トレース溝５４も、図８に示すように、所定の角度βをもって略対向する傾斜面５５Ａ及び５５Ｂから構成される。これらの傾斜面５５Ａ、５５Ｂに、眼鏡枠形状測定装置１０のスタイラス１９における先端部の略反対側の両部分４０Ａ、４０Ｂがそれぞれ接触する。従って、スタイラス１９がトレース溝５４をトレースする際に、スタイラス１９の先端部は、トレース溝５４の傾斜面５５Ａ、５５Ｂの両方に接触して規制されて、スタイラス１９のトレース溝５４からの離脱が防止される。
【００３６】
以上のように構成された校正治具５０を測定対象の眼鏡枠形状測定装置１０に、校正治具３０の場合と同様に装着する。そして、この測定対象の眼鏡枠形状測定装置１０のスタイラス１９が校正治具５０の穴５２及び５３におけるトレース溝５４をトレースすることにより、トレース溝５４の３次元形状の変位ｒ、θ及びzを測定し、この変位から穴５２及び５３におけるトレース溝５４の周長を演算して測定する。この測定されたトレース溝５４の周長と基準周長との誤差が解消されるように測定対象の眼鏡枠形状測定装置１０が調整されて、当該眼鏡枠形状測定装置１０の校正が実施される。
【００３７】
従って、この第２の実施の形態の校正治具５０よれば、次の効果（４）を奏する他、前記校正治具３０の効果（３）と同様な効果を奏する。
（４）校正治具５０では、眼鏡枠形状測定装置１０のスタイラス１９がトレースするトレース溝５４が、半径方向の変位ｒ、回転方向の変位θ、高さ方向の変位zを有して構成されたことから、この校正治具５０を用いた眼鏡形状測定装置１０の測定誤差の校正を３次元で実施でき、正確な校正を実現できる。
【００３８】
以上、本発明を上記実施の形態に基づいて説明したが、本発明はこれに限定されるものではない。
【図面の簡単な説明】
【００３９】
【図１】本発明に係る眼鏡枠形状測定装置の校正治具における第１の実施の形態を示し、（Ａ）が正面図、（Ｂ）が図１（Ａ）のＢ矢視図、（Ｃ）が図１（Ａ）のＣ矢視図である。
【図２】図１のII‐II線に沿う断面図である。
【図３】図１の校正治具を眼鏡枠形状測定装置に装着した状態を示す斜視図である。
【図４】眼鏡枠形状測定装置を正面側から目視して示す斜視図である。
【図５】図４の眼鏡枠形状測定装置を後面側から目視して示す斜視図である。
【図６】図４及び図５の眼鏡枠形状測定装置に眼鏡枠を装着した状態を示す斜視図である。
【図７】本発明に係る眼鏡枠形状測定装置の校正治具における第２の実施の形態を示し、（Ａ）が正面図、（Ｂ）が図７（Ａ）のＢ矢視図、（Ｃ）が図７（Ａ）のＣ矢視図である。
【図８】図７（Ａ）のVIII‐VIII線に沿う断面図である。
【図９】従来の校正治具を示し、（Ａ）が正面図、（Ｂ）が図９（Ａ）のIX‐IX線に沿う断面図である。
【符号の説明】
【００４０】
１  眼鏡枠
２Ａ、２Ｂ  リム
３  智
１０  眼鏡枠形状測定装置
１９  スタイラス（測定子）
２０  枠溝（トレース溝）
３９  校正治具
３１  枠体
３２  開口
３３  平面部
３４  立設部
３５  上側縁部
３６  下側縁部
３９Ａ、３９Ｂ  傾斜面（規制面）
５０  校正治具
５１  板状体
５２、５３  穴
５４  トレース溝
ｒ  半径方向の変位
θ  回転方向の変位
z  高さ方向の変位
【図１】
0004614279.tif 000002
【図２】
0004614279.tif 000003
【図３】
0004614279.tif 000004
【図４】
0004614279.tif 000005
【図５】
0004614279.tif 000006
【図６】
0004614279.tif 000007
【図７】
0004614279.tif 000008
【図８】
0004614279.tif 000009
【図９】
0004614279.tif 000010